(57)【特許請求の範囲】
【請求項１】
先端を開放口とする容器本体、容器本体と一体となり、容器本体の該開放口に対して開閉自在となる蓋体、及び該容器本体を一体に収容してなる容器カバーから構成されるものであって、
容器本体は、両側に対向する幅広の面の内、一方の面の先端側に、蓋体端部が摺動するよう容器本体後端に向かって傾斜する曲面を形成する蓋体端部摺動段差部を設けた上、該面の両側端部に先後方向へ摺動段差部を設けてなるとともに、他方の面の先端側に、蓋体に設けられた突出部の摺動する突出部摺動段差部及び該突出部摺動段差部内の側端部に外側に向けて突出する係合突起を設けてなり、
蓋体は、一側面に、前記蓋体端部摺動段差部と重合する曲面を形成した前述の蓋体端部を設けるとともに、該蓋体端部に対向する面に、前述の突出部を構成した上、該突出部に、突出部摺動段差部内に設けられた係合突起が貫通できる貫通孔、及び該貫通孔の略中央側斜め先端側に外側へ向けて突出する開閉支持突起を設けてなり、
容器カバーは、断面略コ字形状に形成され、後端に止め壁を、その両側端縁に内側へ屈曲する係合爪部を設けると共に、該コ字形状の背面部分の、先端側側端部には、縦方向に有底の直線ガイド溝、及び該直線ガイド溝の略中央側斜め先端側に、直線ガイド溝とは反対側へ離反するように後端側から、該直線ガイド溝に対して平行部・斜部・垂直部とする屈曲した有底の開閉ガイド溝をそれぞれ設けてなり、
該蓋体を、容器本体の開放口に対して開閉自在となるように該貫通孔に係合突起を貫通させて一体とした上、
上記蓋体と一体とした容器本体を、容器カバーに対して、貫通孔を貫通する容器本体の係合突起を該直線ガイド溝に、蓋体の開閉支持突起を該開閉ガイド溝に、更に容器本体の摺動段差部を該係合爪部に、各々先後方向へ移動自在に嵌合又は係合させてなるシャープペンシル芯用容器。
【請求項２】
上記蓋体の突出部の後端を、蓋体端部の後端に形成される曲面とは逆方向に傾斜して形成してなる請求項１記載のシャープペンシル芯用容器。
【発明の詳細な説明】
【０００１】
【発明の属する技術分野】
この発明は、シャープペンシルの芯の保管容器の開閉構造に関する。
【０００２】
【従来の技術】
従来、略長方体形状のシャープペンシルの芯の保管容器においては、収容される鉛芯の取出しのために、最小面が開放されるように構成されていた。そしてそのために、蓋体自体を操作する構成、例えば、最も単純な構成の一つは、容器の蓋体部分を容器本体に対してスライド自在とする構成であるが、その場合にはその蓋体をスライドさせることによって容器の開閉を行うものであり、又、他の構成として、容器の外側に突出して形成された操作部材と蓋体とを連通する構成もあり、その場合その操作部材を操作して蓋体の開閉を行っていた。
【０００３】
【発明が解決しようとする課題】
しかしながら、上記従来のシャープペンシルの芯の保管容器は、蓋体自体を操作する構成の場合には、その蓋体が小さいために、その容器の開閉操作が行い難いという欠点があった。特に、前記のような、蓋体をスライドさせる構成においては、そのスライド操作を行う部分はとりわけ小さいため、蓋体の滑り止めに爪を引っ掛けることによって開閉操作を行わねばならず、その蓋体と容器本体とが強固に係合しているような場合には、その開閉操作が困難になるという欠点があった。又、容器の外部に突出した操作部材を操作して蓋体の開閉操作を行う構成の場合には、その操作部材が小さくて操作し難いというだけでなく、逆にその操作部材が容器から突出していることによって、他の物に引っ掛かったりあるいは多数個の梱包等に無駄が生じたりする等の欠点があった。
【０００４】
そこで、この発明は、上記従来のものの有する欠点を改善するものであり、簡単な構造により、略長方体形状のシャープペンシルの芯の保管容器の開閉操作の操作性を向上させるとともに、容器から外部への突出部を無くして、引っ掛かりや梱包の無駄をなくすものである。
【０００５】
【課題を解決するための手段】
そのために、シャープペンシル芯用容器を、先端を開放口とする容器本体、容器本体と一体となり、容器本体の該開放口に対して開閉自在となる蓋体、及び該容器本体を一体に収容してなる容器カバーから構成されるものであって、
容器本体は、両側に対向する幅広の面の内、一方の面の先端側に、蓋体端部が摺動するよう容器本体後端に向かって傾斜する曲面を形成する蓋体端部摺動段差部を設けた上、該面の両側端部に先後方向へ摺動段差部を設けてなるとともに、他方の面の先端側に、蓋体に設けられた突出部の摺動する突出部摺動段差部及び該突出部摺動段差部内の側端部に外側に向けて突出する係合突起を設けてなり、
蓋体は、一側面に、前記蓋体端部摺動段差部と重合する曲面を形成した前述の蓋体端部を設けるとともに、該蓋体端部に対向する面に、前述の突出部を構成した上、該突出部に、突出部摺動段差部内に設けられた係合突起が貫通できる貫通孔、及び該貫通孔の略中央側斜め先端側に外側へ向けて突出する開閉支持突起を設けてなり、
容器カバーは、断面略コ字形状に形成され、後端に止め壁を、その両側端縁に内側へ屈曲する係合爪部を設けると共に、該コ字形状の背面部分の、先端側側端部には、縦方向に有底の直線ガイド溝、及び該直線ガイド溝の略中央側斜め先端側に、直線ガイド溝とは反対側へ離反するように後端側から、該直線ガイド溝に対して平行部・斜部・垂直部とする屈曲した有底の開閉ガイド溝をそれぞれ設けてなり、
該蓋体を、容器本体の開放口に対して開閉自在となるように該貫通孔に係合突起を貫通させて一体とした上、
上記蓋体と一体とした容器本体を、容器カバーに対して、貫通孔を貫通する容器本体の係合突起を該直線ガイド溝に、蓋体の開閉支持突起を該開閉ガイド溝に、更に容器本体の摺動段差部を該係合爪部に、各々先後方向へ移動自在に嵌合又は係合させてなるものである。
【０００６】
【発明の実施の形態】
上記構成を具えるので、実施にあたり容器本体を容器カバーに対して摺動させることにより、係合突起の直線ガイド溝及び開閉支持突起の屈曲した開閉ガイド溝内の移動によって、係合突起の貫通した貫通孔を中心として蓋体が回動して、蓋体は容器本体の開放口に対して開閉自在となるものであり、操作対象部材は大きな容器本体自体であって、容器開閉の操作性を向上させることができ、同時に、容器外部への突出部を保有しないことから、突出部の存在によって被る不利益を回避することができる。なお、容器カバーに設ける直線ガイド溝と開閉ガイド溝はいずれも有底溝とし、容器カバーの外側にまで貫通しないものとする。また、容器本体の開放口も全体を開放せず、適宜開放口を閉鎖してみだりに鉛芯が脱出することを防止できる。
【０００７】
【実施例】
この発明を図に示す実施例により更に説明する。（１）はこの発明の実施例であるシャープペンシル芯用容器であり、このシャープペンシル芯用容器（１）は容器本体（２）と蓋体（３）と容器カバー（４）からなる。そして、容器本体（２）は略長方体であって、先端部は開放口（５）となるとともに、その両側に対向する幅広の面の内、容器カバー（４）と重合する面の先端側には、蓋体（３）に設けられた突出部（６）の摺動する突出部摺動段差部（７）が設けられ、又、その対向面の先端側には、蓋体端部（８）の摺動する蓋体端部摺動段差部（９）が設けられる。又、容器本体（２）の蓋体端部摺動段差部（９）を有する面上には、同段差部（９）の後方に滑り止め（１０）が設けられるとともに、突出部摺動段差部（７）内の側端部には外側へ向けて突出する係合突起（１１）が設けられる。なお、蓋体端部摺動段差部（９）の後端は曲線に形成され、又、蓋体（３）の突出部（６）は蓋体端部（８）よりも後端側へより突出している。一方、蓋体（３）の一側面は、前述した蓋体端部（８）を構成し、この蓋体端部（８）の後端は、前記蓋体端部摺動段差部（９）の後端の曲線と重合するように斜めに下降する曲線に形成され、又、その蓋体端部（８）に対向する面は、前述した突出部（６）を構成し、この突出部（６）の後端は蓋体端部（８）の後端に形成される曲線とは逆方向に傾斜して形成されるとともに、その後端近傍には、突出部摺動段差部（７）内に設けられた係合突起（１１）が貫通できる貫通孔（１２）が、又、その貫通孔（１２）の略中央側斜め先端側には外側へ向けて突出する開閉支持突起（１３）が設けられる。容器カバー（４）は断面略コ字形状に形成され、そのコ字形状の背面部分に容器本体（２）の幅広の面が重合し、この重合面の先端側側端部には縦方向に有底の直線ガイド溝（１４）が設けられ、その直線ガイド溝（１４）の略中央側斜め先端側には、直線ガイド溝（１４）とは反対側へ屈曲する有底の開閉ガイド溝（１５）が設けられる。そして、この開閉ガイド溝（１５）はその後端側から、平行部（１６）・斜部（１７）・垂直部（１８）となるよう屈曲している。
【０００８】
この発明の実施例であるシャープペンシル芯用容器（１）は以上の構成を具えるので、容器本体（２）の突出部摺動段差部（７）及び蓋体端部摺動段差部（９）にそれぞれ蓋体（３）の突出部（６）及び蓋体端部（８）を重合させて、容器本体（２）と蓋体（３）とを係合し、その際、突出部（６）内の貫通孔（１２）に突出部摺動段差部（７）内の係合突起（１１）を貫通させ、更に、その係合突起（１１）を容器カバー（４）の直線ガイド溝（１４）に嵌合させる。同時に、突出部（６）に設けられた開閉支持突起（１３）を容器カバー（４）の開閉ガイド溝（１５）に嵌合させる。なお、容器本体（２）に対して蓋体（３）が重合した状態、すなわち容器本体（２）が蓋体（３）によって蓋をされた状態で、貫通孔（１２）を貫通した係合突起（１１）が直線ガイド溝（１４）の後端に、又、開閉支持突起（１３）が開閉ガイド溝（１５）の平行部（１６）の後端にそれぞれ嵌合するよう、位置決めがされている。そして容器本体（２）は、蓋体端部摺動段差部（９）を有する側面両端部に、先後方向に摺動段差部（１９）が設けられ、容器カバー（４）の両側端縁に設けられた、内側へ屈曲する係合爪部（２０）がその摺動段差部（１９）と係合することにより、容器カバー（４）に対して先後方向へ移動自在に係合固定され、又、容器カバー（４）の後端に設けられた止め壁（２１）によって、容器カバー（４）の後端からの離脱が確実に防止されている。
【０００９】
そして、容器本体（２）に対して蓋体（３）が重合した状態から、その容器本体（２）を開放状態にするには、操作者が容器本体（２）の滑り止め（１０）を指の腹部によって先端側へ押圧することで足りる。
すなわち、容器本体（２）が先端側へ移動することにより、容器本体（２）の係合突起（１１）は貫通孔（１２）を介して直線ガイド溝（１４）内を先端側へ移動し、同時に、蓋体（３）の開閉支持突起（１３）は開閉ガイド溝（１５）に導かれて、その平行部（１６）から斜部（１７）を経由して垂直部（１８）へと移動しようとする。その際、直線ガイド溝（１４）に対して離反するように開閉ガイド溝（１５）が設けられているため、係合突起（１１）が直線ガイド溝（１４）内を移動するにつれ、開閉ガイド溝（１５）内を移動する開閉支持突起（１３）が、該直線ガイド溝（１４）と離反するようになる斜部（１７）を経て垂直部（１８）へと移動しようとして，該開閉支持突起（１３）を一体に設ける蓋体（３）を、貫通孔（１２）を中心として回動させることとなり、開閉支持突起（１３）を設ける蓋体（３）は、該蓋体（３）の蓋体端部（８）を容器本体（２）の後端に向かって傾斜して曲面を形成する蓋体端部摺動段差部（９）に沿って摺動を行うものとなる。かくして、開閉支持突起（１３）を一体に設ける蓋体（３）は、貫通孔（１２）を中心として回動して、容器カバー（４）に設けられた開放部（２２）の外側に位置して、容器本体（２）の開放口（５）は開放状態となる。又、逆にその容器本体（２）に対して蓋体（３）が重合した状態へ戻すには、操作者が前記と逆の操作を行うことで足りる。
【００１０】
【発明の効果】
以上の通り、容器カバーに設けた二条のガイド溝によって、容器本体に対して蓋体を回動させて開閉するため、簡単な構造で安価に製造することができる上、容器本体の幅広の面における操作によって蓋体の開閉を行うことができるので、その開閉操作の操作性を向上させるとともに、容器自体の外側に開閉操作のための突起等も設置されないため、容器自体の無駄がなくなり、且つ、その意匠性も向上するという優れた効果を有するものである。
【図面の簡単な説明】
【図１】  この発明の実施例であるシャープペンシル用芯容器の分解斜視図である。
【符号の説明】
１  シャープペンシル芯用容器
２  容器本体
３  蓋体
４  容器カバー
５  開放口
６  突出部
７  突出部摺動段差部
８  蓋体端部
９  蓋体端部摺動段差部
１０  滑り止め
１１  係合突起
１２  貫通孔
１３  開閉支持突起
１４  直線ガイド溝
１５  開閉ガイド溝
１６  平行部
１７  斜部
１８  垂直部
１９  摺動段差部
２０  係合爪部
２１  止め壁
２２  開放部
【図１】
0003803941.tif 000002